【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
全方位カメラによってキャプチャされた３６０度のビデオデータを取得すること、ここにおいて、前記３６０度のビデオデータのビデオフレームは、シーンの画像を含み、前記画像において、前記シーンは、前記画像の円形領域にゆがませられる、と、
前記全方位カメラに関連付けられたパラメータを取得すること、ここにおいて、前記パラメータは、前記ビデオフレームに関して、前記画像の前記円形領域を記述し、前記画像における１つまたは複数の円形領域の量、前記円形領域の中心の水平座標、前記円形領域の中心の垂直座標、全半径値、フレーム半径値、シーン半径値、前記円形領域内の前記シーンの回転、フリップ値、スケーリング値、視野値、圧縮曲線値、使用できない画素を含む前記画像内の面積の量を示す値、または使用できない画素を含む前記画像内の面積の位置およびサイズのうちの１つまたは複数を含む、と、
前記円形領域の前記中心が半球形表現の中心または頂点に対応するように、前記円形領域における画素を前記半球形表現にマッピングすることと、
前記３６０度のビデオデータを符号化すること、ここにおいて、符号化することは、前記画像の前記円形領域の前記半球形表現を符号化することを含む、と、
符号化されたビデオデータを生成すること、ここにおいて、前記符号化されたビデオデータは、前記符号化された３６０度のビデオデータおよび前記全方位カメラに関連付けられた前記パラメータを含む、と
を備える、方法。
【請求項２】
前記符号化されたビデオデータを生成することは、前記符号化された３６０度のビデオデータをファイルに書き込むことを含み、前記ファイルは、国際標準化機構ベースメディアファイルフォーマット（ＩＳＯＢＭＦＦ）形式に従って、フォーマットされ、好ましくは、
前記パラメータは、ファイルレベルにおいて、ムービーレベルにおいて、またはトラックレベルにおいて含まれる、または
前記パラメータは、制限されたスキーム情報ボックスに含まれる、または
前記方法は、
前記パラメータを付加拡張情報（ＳＥＩ）メッセージに符号化すること、ここにおいて、前記ＳＥＩメッセージは、前記符号化された３６０度のビデオデータに含まれる、
をさらに備え、好ましくは、
前記ＳＥＩメッセージは、Ａｄｖａｎｃｅｄ  Ｖｉｄｅｏ  Ｃｏｄｉｎｇ（ＡＶＣ）またはＨｉｇｈ−Ｅｆｆｉｃｉｅｎｃｙ  Ｖｉｄｅｏ  Ｃｏｄｅ（ＨＥＶＣ）規格に従って、フォーマットされる、請求項１に記載の方法。
【請求項３】
前記符号化されたビデオデータを生成することは、前記パラメータをセッションデータプロトコル（ＳＤＰ）属性として符号化することを含む、または
前記符号化されたビデオデータを生成することは、前記パラメータをメディアプレゼンテーション記述（ＭＰＤ）ファイルに書き込むことを含む、または
前記符号化されたビデオデータを生成することは、前記パラメータをＭｏｔｉｏｎ  Ｐｉｃｔｕｒｅｓ  Ｅｘｐｅｒｔｓ  Ｇｒｏｕｐ（ＭＰＥＧ）トランスポートストリームに書き込むことを含む、請求項１に記載の方法。
【請求項４】
符号化されたビデオを処理するための装置であって、
全方位カメラによってキャプチャされた２次元ビデオデータを記憶するように構成されたメモリと、
全方位カメラによってキャプチャされた３６０度のビデオデータを取得すること、ここにおいて、前記３６０度のビデオデータのビデオフレームは、シーンの画像を含み、前記画像において、前記シーンは、前記画像の円形領域にゆがませられる、と、
前記全方位カメラに関連付けられたパラメータを取得すること、ここにおいて、前記パラメータは、前記ビデオフレームに関して、前記画像の前記円形領域を記述する、と、    前記３６０度のビデオデータを符号化すること、ここにおいて、符号化することは、前記画像の前記円形領域を符号化することを含む、と、
符号化されたビデオデータを生成すること、ここにおいて、前記符号化されたビデオデータは、前記符号化された３６０度のビデオデータおよび前記全方位カメラに関連付けられた前記パラメータを含む、と
を行うように構成されたプロセッサと
を備える、装置。
【請求項５】
前記符号化されたビデオデータを生成することは、前記符号化された３６０度のビデオデータをファイルに書き込むことを含み、前記ファイルは、国際標準化機構ベースメディアファイルフォーマット（ＩＳＯＢＭＦＦ）形式に従って、フォーマットされ、好ましくは、
前記パラメータは、ファイルレベルにおいて、ムービーレベルにおいて、またはトラックレベルにおいて含まれる、または
前記パラメータは、制限されたスキーム情報ボックスに含まれる、または
前記プロセッサは、
前記パラメータを付加拡張情報（ＳＥＩ）メッセージに符号化すること、ここにおいて、前記ＳＥＩメッセージは、前記符号化された３６０度のビデオデータに含まれる、
を行うようにさらに構成され、好ましくは、
前記ＳＥＩメッセージは、Ａｄｖａｎｃｅｄ  Ｖｉｄｅｏ  Ｃｏｄｉｎｇ（ＡＶＣ）またはＨｉｇｈ−Ｅｆｆｉｃｉｅｎｃｙ  Ｖｉｄｅｏ  Ｃｏｄｅ（ＨＥＶＣ）規格に従って、フォーマットされる、請求項４に記載の装置。
【請求項６】
前記符号化されたビデオデータを生成することは、前記パラメータをセッションデータプロトコル（ＳＤＰ）属性として符号化することを含む、または
前記符号化されたビデオデータを生成することは、前記パラメータをメディアプレゼンテーション記述（ＭＰＤ）ファイルに書き込むことを含む、または
前記符号化されたビデオデータを生成することは、前記パラメータをＭｏｔｉｏｎ  Ｐｉｃｔｕｒｅｓ  Ｅｘｐｅｒｔｓ  Ｇｒｏｕｐ（ＭＰＥＧ）トランスポートストリームに書き込むことを含む、請求項４に記載の装置。
【請求項７】
モバイルデバイスをさらに備え、ここにおいて、前記モバイルデバイスは、前記全方位カメラを含む、請求項４に記載の装置。
【請求項８】
ビデオデータを処理する方法であって、
符号化されたビデオデータを取得すること、ここにおいて、前記符号化されたビデオデータは、全方位カメラによってキャプチャされた符号化された３６０度のビデオデータおよび前記全方位カメラに関連付けられたパラメータを含む、と、
前記３６０度のビデオデータを作り出すために、前記符号化されたビデオデータを復号すること、ここにおいて、前記３６０度のビデオデータからのビデオフレームは、シーンの画像を含み、前記画像において、前記シーンは、前記画像の円形領域にゆがませられ、前記パラメータは、前記ビデオフレームに関して、前記円形領域を記述する、と、
３６０度のビデオプレゼンテーションを生成すること、ここにおいて、前記３６０度のビデオプレゼンテーションを生成することは、前記円形領域を３６０度のビデオプレゼンテーションにおいて使用されることができる形式にマッピングするために前記パラメータを使用することを含む、と
を備える、方法。
【請求項９】
前記円形領域をエクイレクタングラー形式にマッピングすることと、
前記３６０度のビデオプレゼンテーションのために前記エクイレクタングラー形式を使用することと
をさらに備える、または
前記方法は、
前記円形領域を直接に３６０度の形式にマッピングすることと、
前記３６０度のビデオプレゼンテーションのために前記３６０度の形式を使用することと
をさらに備える、請求項８に記載の方法。
【請求項１０】
前記符号化されたビデオデータは、ファイルから取得され、前記ファイルは、国際標準化機構ベースメディアファイルフォーマット（ＩＳＯＢＭＦＦ）形式に従って、フォーマットされ、好ましくは、
前記パラメータは、ファイルレベルにおいて、ムービーレベルにおいて、またはトラックレベルにおいて含まれる、または
前記パラメータは、制限されたスキーム情報ボックスに含まれる、または
前記方法は、
前記パラメータを付加拡張情報（ＳＥＩ）メッセージから復号すること、ここにおいて、前記ＳＥＩメッセージは、前記符号化されたビデオデータに含まれる、
をさらに備え、好ましくは、
前記ＳＥＩメッセージは、Ａｄｖａｎｃｅｄ  Ｖｉｄｅｏ  Ｃｏｄｉｎｇ（ＡＶＣ）またはＨｉｇｈ−Ｅｆｆｉｃｉｅｎｃｙ  Ｖｉｄｅｏ  Ｃｏｄｅ（ＨＥＶＣ）規格に従って、フォーマットされる、請求項８に記載の方法。
【請求項１１】
前記符号化されたビデオデータを復号することは、セッションデータプロトコル（ＳＤＰ）属性から前記パラメータを取得することを含む、または
前記符号化されたビデオデータを復号することは、メディアプレゼンテーション記述（ＭＰＤ）ファイルから前記パラメータを取得することを含む、または
前記符号化されたビデオデータを復号することは、Ｍｏｔｉｏｎ  Ｐｉｃｔｕｒｅｓ  Ｅｘｐｅｒｔｓ  Ｇｒｏｕｐ（ＭＰＥＧ）トランスポートストリームから前記パラメータを取得することを含む、請求項８に記載の方法。
【請求項１２】
符号化されたビデオデータを処理するための装置であって、
全方位カメラによってキャプチャされた２次元ビデオデータを記憶するように構成されたメモリと、
前記符号化されたビデオデータを取得すること、ここにおいて、前記符号化されたビデオデータは、全方位カメラによってキャプチャされた符号化された３６０度のビデオデータおよび前記全方位カメラに関連付けられたパラメータを含む、と、
前記３６０度のビデオデータを作り出すために、前記符号化されたビデオデータを復号すること、ここにおいて、前記３６０度のビデオデータからのビデオフレームは、シーンの画像を含み、前記画像において、前記シーンは、前記画像の円形領域にゆがませられ、前記パラメータは、前記ビデオフレームに関して、前記円形領域を記述する、と、
３６０度のビデオプレゼンテーションを生成すること、ここにおいて、前記３６０度のビデオプレゼンテーションを生成することは、前記円形領域を３６０度のビデオプレゼンテーションにおいて使用されることができる形式にマッピングするために前記パラメータを使用することを含む、と
を行うように構成されたプロセッサと
を備える、装置。
【請求項１３】
前記プロセッサは、
前記円形領域をエクイレクタングラー形式にマッピングすることと、
前記３６０度のビデオプレゼンテーションのために前記エクイレクタングラー形式を使用することと
を行うようにさらに構成される、または
前記プロセッサは、
前記円形領域を直接に３６０度の形式にマッピングすることと、
前記３６０度のビデオプレゼンテーションのために前記３６０度の形式を使用することと
を行うようにさらに構成される、請求項１２に記載の装置。
【請求項１４】
前記符号化されたビデオデータは、ファイルから取得され、前記ファイルは、国際標準化機構ベースメディアファイルフォーマット（ＩＳＯＢＭＦＦ）形式に従って、フォーマットされ、好ましくは、
前記パラメータは、ファイルレベルにおいて、ムービーレベルにおいて、またはトラックレベルにおいて含まれる、または
前記パラメータは、制限されたスキーム情報ボックスに含まれる、または
前記プロセッサは、
前記パラメータを付加拡張情報（ＳＥＩ）メッセージから復号すること、ここにおいて、前記ＳＥＩメッセージは、前記符号化されたビデオデータに含まれる、
を行うようにさらに構成され、好ましくは、
前記ＳＥＩメッセージは、Ａｄｖａｎｃｅｄ  Ｖｉｄｅｏ  Ｃｏｄｉｎｇ（ＡＶＣ）またはＨｉｇｈ−Ｅｆｆｉｃｉｅｎｃｙ  Ｖｉｄｅｏ  Ｃｏｄｅ（ＨＥＶＣ）規格に従って、フォーマットされる、請求項１２に記載の装置。
【請求項１５】
前記符号化されたビデオデータを復号することは、セッションデータプロトコル（ＳＤＰ）属性から前記パラメータを取得することを含む、または
前記符号化されたビデオデータを復号することは、メディアプレゼンテーション記述（ＭＰＤ）ファイルから前記パラメータを取得することを含む、または
前記符号化されたビデオデータを復号することは、Ｍｏｔｉｏｎ  Ｐｉｃｔｕｒｅｓ  Ｅｘｐｅｒｔｓ  Ｇｒｏｕｐ（ＭＰＥＧ）トランスポートストリームから前記パラメータを取得することを含む、請求項１２に記載の装置。
【請求項１６】
モバイルデバイスをさらに備え、ここにおいて、前記モバイルデバイスは、前記３６０度のビデオプレゼンテーションを表示するためのディスプレイを含む、
請求項１２に記載の装置。
【請求項１７】
非一時的なコンピュータ可読媒体であって、１つまたは複数のプロセッサによって実行されると、前記１つまたは複数のプロセッサに、請求項１〜３または８〜１１のいずれか一項に記載の方法のステップを行わせる命令を記憶した、非一時的コンピュータ可読媒体。